(57)【要約】【課題】光スプリッタ、幹線ケーブルの心線の余長、支線ケーブルの余長、各光ファイバの接続余長を狭いスペースに整然と収納する。【解決手段】キャビネット本体10の背面板14に、当該背面板との間に空隙ができるように中間基板18を取り付け、中間基板に２組のトレイ積層体22L、22Rを取り付ける。背面板の左側のオープンスペースS2と、それに近い方の前記空隙には、幹線ケーブル44の心線78の余長を収納する。背面板の右側のオープンスペースS4と、それに近い方の前記空隙には、支線ケーブル48の余長を収納する。左側のトレイ積層体22Lの最下層のトレイに光スプリッタを収納し、その上のトレイに光スプリッタの入力側光ファイバと幹線ケーブルの１本の光ファイバとの接続部を収納する。それ以外の複数枚のトレイに、光スプリッタの出力側の光ファイバを複数本ずつに分けて収納し、それらの光ファイバと支線ケーブルの光ファイバ88との接続部を収納する。【選択図】図６
2007140281.tif 000002
【特許請求の範囲】
【請求項１】
幹線ケーブル内の１本の光ファイバの信号を、複数本の支線ケーブルの複数本の光ファイバに分配する光スプリッタを収納したキャビネットであって、
壁面に取り付けられる正面開口型のキャビネット本体と、このキャビネット本体の背面板に当該背面板との間に空隙ができるようにスペーサを介して取り付けられた中間基板と、この中間基板の正面の上下方向中間部に取り付けられたトレイ積層体と、前記中間基板の正面の上部に取り付けられた支線ケーブルホルダと、前記キャビネット本体に被せられるカバーとを備え、
前記中間基板は前記キャビネット本体の背面板よりも縦横の寸法が小さく、前記中間基板の周囲には中間基板と重ならない背面板のオープンスペースが存在しており、
前記キャビネット本体の下面側を塞ぐ下面壁の、前記背面板の左右いずれか一方のオープンスペースに相当する部分には幹線ケーブルの導入部が設けられ、他方のオープンスペースに相当する部分には支線ケーブルの導入部が設けられており、
前記一方のオープンスペースと、前記背面板と中間基板の間の当該オープンスペース寄りの空隙は、前記幹線ケーブル導入部から導入された幹線ケーブルの心線の余長を収納する幹線側余長収納領域となっており、前記他方のオープンスペースと、前記背面板と中間基板の間の当該オープンスペース寄りの空隙は、前記支線ケーブル導入部から導入された支線ケーブルの余長を収納する支線側余長収納領域となっており、
前記トレイ積層体のうちの１枚のトレイには光スプリッタが収納され、もう１枚のトレイには前記光スプリッタの入力側光ファイバと前記幹線ケーブルの少なくとも１本の光ファイバとの接続部が収納され、それ以外の複数枚のトレイには、前記光スプリッタの出力側の光ファイバが１本又は複数本ずつに分けて収納されており、この複数枚のトレイに、光スプリッタの出力側の光ファイバと支線ケーブルの光ファイバとを接続したときにその接続部を収納するようになっている、
ことを特徴とする光スプリッタ入りキャビネット。
【請求項２】
請求項１記載の光スプリッタ入りキャビネットであって、前記トレイ積層体は左右に２組に分けて配置されており、光スプリッタを収納するトレイ及び光スプリッタの入力側光ファイバと幹線ケーブルの光ファイバとの接続部を収納するトレイは、２枚重ねて、幹線ケーブル寄りのトレイ積層体の最下２層に配置されていることを特徴とする光スプリッタ入りキャビネット。
【請求項３】
請求項１又は２記載の光スプリッタ入りキャビネットであって、キャビネット本体は左右の側面壁が切り欠かれていて、キャビネット本体の側方から幹線ケーブルの心線の余長及び支線ケーブルの余長をそれぞれ幹線側余長収納領域及び支線側余長収納領域に収納できるようになっていることを特徴とする光スプリッタ入りキャビネット。
【請求項４】
請求項１ないし３のいずれかに記載の光スプリッタ入りキャビネットであって、背面板の左右のオープンスペースのうち、幹線ケーブル側のオープンスペースには幹線ケーブルの心線の余長を保持する保持部材が取り付けられ、支線ケーブル側のオープンスペースには支線ケーブルを背面板の上部のオープンスペースに案内するガイドが取り付けられていることを特徴とする光スプリッタ入りキャビネット。
【請求項５】
請求項１ないし４のいずれかに記載の光スプリッタ入りキャビネットであって、キャビネット本体の背面板及び中間基板が金属板で構成されていることを特徴とする光スプリッタ入りキャビネット。
【請求項６】
請求項５記載の光スプリッタ入りキャビネットであって、キャビネット本体の下面壁が金属板で構成されていることを特徴とする光スプリッタ入りキャビネット。
【発明の詳細な説明】
【技術分野】
【０００１】
本発明は、１本の幹線ケーブル内の１本の光ファイバの信号を、複数本の支線ケーブルの複数本の光ファイバに分配する光スプリッタ（光分配器）を収納した光スプリッタ入りキャビネットに関するものである。
【背景技術】
【０００２】
光スプリッタ入りキャビネットは、予め１入力Ｎ出力（Ｎ≧２）の光スプリッタを収納した状態で、例えば集合住宅やビルなどに設置される。光スプリッタ入りキャビネットには、幹線ケーブル（例えば屋外ケーブル）の中間部分と支線ケーブル（例えば屋内ケーブル）の端部が引き込まれる。
【０００３】
光スプリッタ入りキャビネットに引き込まれた幹線ケーブルの中間部分は、外被を除去して心線を露出させる。この心線に含まれる多数本の光ファイバのうち、１本の光ファイバは切断されて光スプリッタの入力側の光ファイバと接続されるが、それ以外の光ファイバは切断されずにキャビネット内を通過するだけである。
【０００４】
また光スプリッタ入りキャビネットに引き込まれた各支線ケーブルの端部は、外被を除去して光ファイバを露出させる。この支線ケーブルの光ファイバは、光スプリッタの出力側光ファイバと接続される。１本の支線ケーブルに含まれる光ファイバは通常、１本か２本程度である。
【０００５】
特許文献１には、キャビネット内に幹線ケーブルの中間部分と支線ケーブルの端部とを引き込んで、キャビネット内で幹線ケーブル側の一部の光ファイバと分岐ケーブル側の光ファイバとを接続する技術が開示されている。ただしこの技術は、光スプリッタを使用するものではなく、幹線ケーブル側の光ファイバと支線ケーブル側の光ファイバとを１対１で接続するものである。
【０００６】
【特許文献１】特開平１０−３３２９５１号公報
【発明の開示】
【発明が解決しようとする課題】
【０００７】
光スプリッタ入りキャビネットには、幹線ケーブルの心線の余長、支線ケーブルの余長、幹線ケーブルの光ファイバと光スプリッタの入力側光ファイバとの接続余長、及び支線ケーブルの光ファイバと光スプリッタの出力側光ファイバとの接続余長などを収納する必要がある。また光スプリッタの出力側光ファイバ及び支線ケーブルは本数も多い。このためキャビネット内が光ケーブルや光ファイバで錯綜しやすく、光ファイバの接続作業や余長収納作業に支障が出やすい。
【０００８】
本発明の目的は、光スプリッタ、幹線ケーブルの心線の余長、支線ケーブルの余長及び各光ファイバの接続余長を狭いスペースに整然と収納できる光スプリッタ入りキャビネットを提供することにある。
【０００９】
また本発明の目的は、支線ケーブルが加入者の増加などにより順次増設されていく場合に、増設された支線ケーブルの光ファイバを光スプリッタの出力側光ファイバに接続する作業を容易に行える光スプリッタ入りキャビネットを提供することにある。
【課題を解決するための手段】
【００１０】
本発明に係る光スプリッタ入りキャビネットは、幹線ケーブル内の１本の光ファイバの信号を、複数本の支線ケーブルの複数本の光ファイバに分配する光スプリッタを収納したキャビネットであって、
壁面に取り付けられる正面開口型のキャビネット本体と、このキャビネット本体の背面板に当該背面板との間に空隙ができるようにスペーサを介して取り付けられた中間基板と、この中間基板の正面の上下方向中間部に取り付けられたトレイ積層体と、前記中間基板の正面の上部に取り付けられた支線ケーブルホルダと、前記キャビネット本体に被せられるカバーとを備え、
前記中間基板は前記キャビネット本体の背面板よりも縦横の寸法が小さく、前記中間基板の周囲には中間基板と重ならない背面板のオープンスペースが存在しており、
前記キャビネット本体の下面側を塞ぐ下面壁の、前記背面板の左右いずれか一方のオープンスペースに相当する部分には幹線ケーブルの導入部が設けられ、他方のオープンスペースに相当する部分には支線ケーブルの導入部が設けられており、
前記一方のオープンスペースと、前記背面板と中間基板の間の当該オープンスペース寄りの空隙は、前記幹線ケーブル導入部から導入された幹線ケーブルの心線の余長を収納する幹線側余長収納領域となっており、前記他方のオープンスペースと、前記背面板と中間基板の間の当該オープンスペース寄りの空隙は、前記支線ケーブル導入部から導入された支線ケーブルの余長を収納する支線側余長収納領域となっており、
前記トレイ積層体のうちの１枚のトレイには光スプリッタが収納され、もう１枚のトレイには前記光スプリッタの入力側光ファイバと前記幹線ケーブルの多数本の光ファイバのうちの１本の光ファイバとの接続部が収納され、それ以外の複数枚のトレイには、前記光スプリッタの出力側の光ファイバが１本又は複数本ずつに分けて収納されており、この複数枚のトレイに、光スプリッタの出力側の光ファイバと支線ケーブルの光ファイバとを接続したときにその接続部を収納するようになっている、
ことを特徴とするものである。
【００１１】
本発明の光スプリッタ入りキャビネットにおいて、前記トレイ積層体は左右に２組に分けて配置されており、光スプリッタを収納するトレイ及び光スプリッタの入力側光ファイバと幹線ケーブルの光ファイバとの接続部を収納するトレイは、２枚重ねて、幹線ケーブル寄りのトレイ積層体の最下２層に配置されていることが好ましい。
【００１２】
また本発明の光スプリッタ入りキャビネットにおいて、キャビネット本体は左右の側面壁が切り欠かれていて、キャビネット本体の側方から幹線ケーブルの心線の余長及び支線ケーブルの余長をそれぞれ幹線側余長収納領域及び支線側余長収納領域に収納できるようになっていることが好ましい。
【００１３】
さらに本発明の光スプリッタ入りキャビネットにおいて、背面板の左右のオープンスペースのうち、幹線ケーブル側のオープンスペースには幹線ケーブルの心線の余長を保持する保持部材が取り付けられ、支線ケーブル側のオープンスペースには支線ケーブルを背面板の上部のオープンスペースに案内するガイドが取り付けられていることが好ましい。
【００１４】
さらに本発明の光スプリッタ入りキャビネットにおいて、キャビネット本体の背面板及び中間基板は金属板で構成されていることが好ましい。さらにキャビネット本体の下面壁も金属板で構成されていることが好ましい。
【発明の効果】
【００１５】
本発明によれば、幹線ケーブルの心線の余長は、背面板の幹線ケーブル導入部側のオープンスペースと、背面板と中間基板の間の当該オープンスペース寄りの空隙とで構成される幹線側余長収納領域に収納できる。また支線ケーブルの余長は、背面板の支線ケーブル導入部側のオープンスペースと、背面板と中間基板の間の当該オープンスペース寄りの空隙とで構成される支線側余長収納領域に収納できる。したがって幹線ケーブルの心線の余長と支線ケーブルの余長を重ならせることなく収納できる。しかも幹線側余長収納領域に収納された幹線ケーブルの心線の余長は、その一部が背面板のオープンスペースに見えるようになっており、支線側余長収納領域に収納された支線ケーブルの余長も、その一部が背面板のオープンスペースに見えるようになっているので、余長の収納状態が目視で確認でき、収納状態が適正でない場合は容易に修正することができる。また支線ケーブルを増設する場合には、増設する支線ケーブルの余長を単独で収納したり、既設の支線ケーブルの余長をいったんキャビネット本体外に取り出し、増設する支線ケーブルの余長を含めて整理し直して収納したりする作業も容易に行うことができる。
【００１６】
また光スプリッタは予め１枚のトレイに収納され、光スプリッタの入力側光ファイバと幹線ケーブルの１本の光ファイバとの接続部はもう１枚のトレイに収納され、光スプリッタの出力側光ファイバは１本又は複数本ずつに分けて上記以外の複数枚のトレイに収納されているので、支線ケーブルの光ファイバを光スプリッタの出力側の光ファイバに接続するときは、前記２枚のトレイを開く必要がなく、接続相手となる出力側光ファイバが収納されているトレイだけを開いて接続作業を行うことができる。したがって支線ケーブルを引き込んで光ファイバの接続作業及び余長収納作業を行うときは、光スプリッタや幹線ケーブルの光ファイバに全く触れることなく、安心して作業を行うことができると共に、断線などの事故の発生を未然に防止することができる。
【発明を実施するための最良の形態】
【００１７】
図１は本発明に係る光スプリッタ入りキャビネットの一実施形態を示し、図２ないし図５は図１のキャビネットに用いられる部品を示す。図６ないし図８は図１のキャビネットに光スプリッタを収容し、幹線ケーブル及び支線ケーブルを導入した状態を示す。図において、１０はキャビネット本体、１２はキャビネット本体１０に被せられるカバーである。
【００１８】
キャビネット本体１０は、建物の壁などに取り付けられた状態で正面が開口する浅い箱形である。キャビネット本体１０は、背面板１４が建物の壁などに取り付けられる。背面板１４の四辺には壁１６ａ〜１６ｄが設けられているが、作業性をよくするため、上面壁１６ａと左右側面壁１６ｂ、１６ｄはその大部分が切り欠かれている。したがってカバー１２は、キャビネット本体１０の正面、上面、左右側面を覆うように形成されている。図１（Ａ）、（Ｃ）はカバー１２が透明なものとして描かれており（実際は不透明である）、（Ｂ）はカバー１２が大部分省略されて描かれている。
【００１９】
キャビネット本体１０の背面板１４は、プラスチック背面板の内側に金属板を積層した２重構造となっている。これは、強度を高め、各種部品の取り付けを容易にするためである。背面板１４の手前には、スペーサ２０を介して中間基板１８が取り付けられている。これにより背面板１４と中間基板１８の間にはスペーサ２０の高さ分の空隙ができる。中間基板１８の正面上下方向中間部には、２組のトレイ積層体２２Ｌ、２２Ｒが左右に分かれて設置されている。また中間基板１８の正面上部には、４個の支線ケーブルホルダ２４が取り付けられ、正面下部には、コネクタホルダ２６が１個取り付けられている。
【００２０】
２組のトレイ積層体２２Ｌ、２２Ｒはそれぞれ、最下層に図２のようなほぼ正方形のトレイ２８を設け、その上に図３のようなほぼラケット形のトレイ３０を複数枚積層したものである。最下層のトレイ２８は中間基板１８に固定され、それより上のトレイ３０は、その下のトレイ２８又は３０にヒンジ結合部３２によって結合され、開閉可能である。トレイ２８及び３０は、底板３４、周壁３６、巻き胴３８、光ファイバ飛び出し防止片４０、接続部保持部４２などを有する一般的なものである。この実施形態では、左側のトレイ積層体２２Ｌはトレイ２８の上にトレイ３０を５枚積層したものであり、右側のトレイ積層体２２Ｒはトレイ２８の上にトレイ３０を４枚積層したものである。
【００２１】
中間基板１８はキャビネット本体１０の背面板１４よりも縦横の寸法が小さく、中間基板１８の周囲には、中間基板１８と重ならない背面板１４のオープンスペースＳ１、Ｓ２、Ｓ３、Ｓ４が存在している。
【００２２】
キャビネット本体１０の下面側を塞ぐ下面壁１６ｃは金属板で構成されている。これはキャビネット内部をいたずらされ難くするためである。この下面壁１６ｃの左側の、背面板１４の左側のオープンスペースＳ２に相当する部分には幹線ケーブル４４（図６、図７参照）の導入部４６（図１参照）が設けられている。下面壁１６ｃの右側の、背面板１４のオープンスペースＳ４に相当する部分には支線ケーブル４８（図６、図７参照）の導入部５０（図１参照）が設けられている。
【００２３】
幹線ケーブル導入部４６は図１（Ｄ）に示すようにＵ字形のスロットになっていて、そこには図４に示すような幹線ケーブル用ゴムパッキング５２が２段に装着されるようになっている。このゴムパッキング５２は、幹線ケーブルを通す穴５４と、上端中央部からこの穴５４に達する切り込み５６を有している。幹線ケーブル導入部４６の内側には、ケーブル引留具５８が２段に設けられている。
【００２４】
一方、支線ケーブル導入部５０は多数の支線ケーブルを通すことのできる細長い開口になっていて、その外側には図５に示すような支線ケーブル用ゴムパッキング６０が装着されるようになっている。このゴムパッキング６０は、支線ケーブルを通す多数の穴６２と、側面から各穴６２に達する切り込み６４を有している。ここで使用する支線ケーブルは後述するように断面略８の字形であるため、ゴムパッキング６０の穴６２の断面もそれに合わせて長円形になっている。
【００２５】
背面板１４の左側のオープンスペースＳ２には、幹線ケーブル４４の心線の余長を保持する保持部材６６が取り付けられている。また背面板１４の右側のオープンスペースＳ４の上部には、支線ケーブル４８を案内するガイド６８が取り付けられている。
【００２６】
左側（幹線ケーブル側）のトレイ積層体２２Ｌの最下層のトレイ２８には、図８に示すように光スプリッタ７０が収納されている。この光スプリッタ７０は、図９に示すように、入力側の１本の光ファイバ７２の信号を、出力側の３２本の光ファイバ７４に分配するものである。この実施形態では、出力側の光ファイバ７４の本数が３２本である場合を説明するが、この本数はこれに限定されるものではない。
【００２７】
キャビネット本体１０内に導入される幹線ケーブル４４は、例えば図１０に示すように、それぞれ複数本の光ファイバ７６を有する複数本の心線７８をテンションメンバー８０の周りに配置し、外被８２を設けたものである。幹線ケーブル４４は通常、電話局からきている屋外ケーブルである。幹線ケーブル４４に含まれる多数の光ファイバ７６のうち、キャビネット本体１０内で光スプリッタ７０の入力側光ファイバ７２に接続されるのは１本だけであり、それ以外の光ファイバはキャビネットを通過するだけである。幹線ケーブル４４のキャビネット本体１０内に導入する部分は、心線７８を切断することなく外被８２を剥ぎ取って、心線７８を露出させる（図６〜図８参照）。
【００２８】
幹線ケーブル４４の心線露出部の両端の外被８２のある部分には図４のようなゴムパッキング５２が装着される。ゴムパッキング５２の装着は、ゴムパッキング５２を切り込み５６を開くことで簡単に行うことができる。幹線ケーブル４４のゴムパッキング５２を装着した部分は、キャビネット本体１０の幹線ケーブル導入部４６に押し込んで固定される。また幹線ケーブル４４のテンションメンバー８０は外被端から適当な長さの所で切断され、その端部はケーブル引留具５８に固定される。
【００２９】
幹線ケーブル４４の外被８２を剥いで露出した複数本の心線７８のうち、１本の心線７８は、左側のトレイ積層体２２Ｌの２層目のトレイ３０Ａに導入され、その中で光ファイバ７６が１本だけ分離される（図８参照）。分離された光ファイバ７６はそこで切断され、信号が伝送されてくる方の切断端は、２層目のトレイ３０Ａに最下層のトレイ２８から導入された光スプリッタ７０の入力側光ファイバ７２と接続される。その接続部８６は２層目のトレイ３０Ａの接続部保持部４２（図３参照）に収納される。
【００３０】
１本の光ファイバ７６だけを分離した心線７８の余長は２層目のトレイ３０Ａ内に収納される。またそれ以外の心線７８の余長は輪取りにして、背面板１４の左側オープンスペースＳ２と、背面板１５と中間基板１８の間の前記オープンスペースＳ２寄りの空隙とで構成される幹線側余長収納領域に収納される。輪取りされた心線７８の余長は、保持部材６６によってほぼ所定の位置に保持される。このようにすると、心線７８の余長が作業の邪魔になることはなく、かつオープンスペースＳ２に輪取りされた心線７８の一部が見えるので、収納状態を目視で確認することができる。以上のように、幹線ケーブル４４に含まれる多数の光ファイバ７６のうち、１本の光ファイバは光スプリッタ７０の入力側光ファイバ７２と接続されるが、それ以外の光ファイバは切断されずにキャビネット本体１０内を通過するだけである。
【００３１】
一方、光スプリッタ７０の３２本の出力側光ファイバ７４は、まず１６本ずつに分けられる。そのうちの一方の１６本は左側トレイ積層体２２Ｌの最下層のトレイ２８を出て、４本ずつに分けられ、同じ積層体２２Ｌの３層目から６層目のトレイ３０Ｂ〜３０Ｅに４本ずつ収納される。また他方の１６本は、左側トレイ積層体２２Ｌの最下層のトレイ２８を出て、右側トレイ積層体２２Ｒの最下層トレイ２８に入り、そこで４本ずつに分けられ、右側のトレイ積層体２２Ｒの２層目から５層目のトレイ３０Ａ〜３０Ｄに４本ずつ収納される。つまり、光スプリッタ７０の３２本の出力側光ファイバ７４の余長は、左側のトレイ３０Ｂ〜３０Ｅと、右側のトレイ３０Ａ〜３０Ｄに、４本ずつに分けられて収納されている（図８参照）。
【００３２】
また、キャビネット本体１０内に導入される支線ケーブル４８は、例えば図１１に示すように、平行な２本の光ファイバ８８に、抗張力繊維層９０を介して、断面８の字形の外被９２を施したものである。支線ケーブル４８は、例えば集合住宅などで、光スプリッタ入りキャビネットから加入者宅までの区間に配線される、屋内ケーブルである。この支線ケーブル４８は外被９２を中央連結部に沿って切り裂くことにより２本の光ケーブルに分離できる。実際に使われるのは一方の光ファイバだけで、もう一方の光ファイバは予備である。
【００３３】
支線ケーブル４８は、支線ケーブル導入部５０に設置されたゴムパッキング６０を通してキャビネット本体１０内に導入される。支線ケーブル４８をゴムパッキング６０に通すには、ゴムパッキング６０の側面の切り込み６４から支線ケーブル４８を穴６２内に押し込むだけでよい。ゴムパッキング６０には３１個の穴６２が形成されていて、支線ケーブル３８を３１本まで通せるようになっている。
【００３４】
キャビネット本体１０に導入された支線ケーブル４８は、外被９２を切り裂いて２本の支線ケーブル４８Ａ、４８Ｂに分離し、そのうちの一方の支線ケーブル４８Ａはガイド６８を通して背面板１４の上部オープンスペースＳ１に案内し、そこで、先端側の外被及び抗張力繊維層を除去して光ファイバ８８を所要長露出させる。先端側の外被を除去した支線ケーブル４８Ａは、外被の端部付近を支線ケーブルホルダ２４に保持させる。支線ケーブルホルダ２４は支線ケーブル保持用の溝を有していて、その溝に支線ケーブル４８Ａを押し込むだけで、支線ケーブルを保持できるようになっている。１個の支線ケーブルホルダ２４には８本の溝が形成されていて、支線ケーブルを８本まで保持できるようになっている。外被を剥いで露出させた光ファイバ８８は、光スプリッタ７０の所定の出力側光ファイバ７４と接続され、その接続部９４と接続余長は接続相手の出力側光ファイバ７４が収納されていたトレイに収納される。
【００３５】
また、外被９２を切り裂いて分離したもう一方の支線ケーブル４８Ｂは、輪取りにして、背面板１４の右側オープンスペースＳ４と、背面板１５と中間基板１８の間の前記オープンスペースＳ４寄りの空隙とで構成される支線側余長収納領域に収納される。このようにすると、支線ケーブル４８Ｂの余長が作業の邪魔になることはなく、かつオープンスペースＳ４に支線ケーブル４８Ｂの一部が見えるので、収納状態を目視で確認することができる。
【００３６】
ところで、光スプリッタ７０の３２本の出力側光ファイバ７４のうち、１本の光ファイバ７４Ｍ（図示の例では右側のトレイ積層体２２Ｒの最上層のトレイ３０Ｄに収納された４本のうちの１本）は光スプリッタ７０が正常に動作しているか否かを確認するためのモニターとして使用される。したがって光スプリッタ７０に接続できる支線ケーブルは３１本までである。モニター用の光ファイバ７４Ｍの端部にはコネクタ９６が取り付けられている。このコネクタ９６は、コネクタホルダ２６（図１（Ｂ）参照）に固定されたコネクタアダプタ９８（図６参照）の一端側に嵌合されている。このコネクタアダプタ９８の他端側にモニター機器側のコネクタを嵌合すれば、光スプリッタ７０から光信号が出ているか否かを確認できる。
【図面の簡単な説明】
【００３７】
【図１】本発明に係る光スプリッタ入りキャビネットの一実施形態を示す、（Ａ）は平面図、（Ｂ）は正面図、（Ｃ）は側面図、（Ｄ）は底面図。
【図２】図１の光スプリッタ入りキャビネットに用いた１つのタイプのトレイを示す、（Ａ）は正面図、（Ｂ）は左側面図、（Ｃ）は右側面図、（Ｄ）は底面図。
【図３】図１の光スプリッタ入りキャビネットに用いたもう１つのタイプのトレイを示す、（Ａ）は平面図、（Ｂ）は正面図、（Ｃ）は左側面図、（Ｄ）は右側面図、（Ｅ）は底面図。
【図４】図１の光スプリッタ入りキャビネットに用いられる幹線ケーブル用ゴムパッキングを示す、（Ａ）は平面図、（Ｂ）は正面図、（Ｃ）は（Ｂ）のＣ−Ｃ線断面図、（Ｄ）は右側面図、（Ｅ）は（Ｄ）のＥ−Ｅ線断面図。
【図５】図１の光スプリッタ入りキャビネットに用いられる支線ケーブル用ゴムパッキングを示す、（Ａ）は平面図、（Ｂ）は正面図、（Ｃ）は左側面図、（Ｄ）は右側面図。
【図６】図１の光スプリッタ入りキャビネットのキャビネット本体に幹線ケーブル及び支線ケーブルを導入した状態を示す正面図。
【図７】（Ａ）は図６のＡ−Ａ線断面図、（Ｂ）は図６のＢ−Ｂ線断面図。
【図８】図１の光スプリッタ入りキャビネット内の、光スプリッタと、幹線ケーブルの光ファイバと、支線ケーブルの光ファイバとの接続状態を示す展開図。
【図９】光スプリッタの一例を示す平面図。
【図１０】幹線ケーブルの一例を示す断面図。
【図１１】支線ケーブルの一例を示す断面図。
【符号の説明】
【００３８】
１０：キャビネット本体
１２：カバー
１４：背面板
１６ａ〜１６ｄ：周壁
１８：中間基板
２０：スペーサ
Ｓ１〜Ｓ４：背面板１４のオープンスペース
２２Ｌ、２２Ｒ：トレイ積層体
２４：支線ケーブルホルダ
２６：コネクタホルダ
２８、３０：トレイ
３２：ヒンジ結合部
４４：幹線ケーブル
４６：幹線ケーブル導入部
４８：支線ケーブル
５０：支線ケーブル導入部
５２：幹線ケーブル用ゴムパッキング
５８：ケーブル引留具
６０：支線ケーブル用ゴムパッキング
６６：保持部材
６８：ガイド
７０：光スプリッタ
７２：入力側光ファイバ
７４：出力側光ファイバ
７６：幹線ケーブルの光ファイバ
７８：幹線ケーブルの心線
８６：光ファイバ接続部
８８：支線ケーブルの光ファイバ
９４：光ファイバ接続部
９６：コネクタ
９８：コネクタアダプタ
【図１】
2007140281.tif 000003
【図２】
2007140281.tif 000004
【図３】
2007140281.tif 000005
【図４】
2007140281.tif 000006
【図５】
2007140281.tif 000007
【図６】
2007140281.tif 000008
【図７】
2007140281.tif 000009
【図８】
2007140281.tif 000010
【図９】
2007140281.tif 000011
【図１０】
2007140281.tif 000012
【図１１】
2007140281.tif 000013